(57)【特許請求の範囲】
【請求項１】
農業用排水路などの小河川水路Ｒを、その幅方向を流れ方向の立壁２０で仕切って複数の流路Ｒ1、Ｒ2を形成し、前記立壁２０は水路側壁より低くして、前記仕切った流路の少なくとも一つを、その底部に、玉石や空洞又は空隙を有するコンクリートブロックなどの浄化体から成る浄化層１０を形成した浄化型流路Ｒ1とするとともに、残りの流路を前記浄化層１０を形成しない通常の流路Ｒ2とし、上記浄化層１０の下面に敷き板５を敷設し、この敷き板５は、その上面が波状になってその凹部で流れ方向に沿う溝７が形成され、この溝７により、捕捉物を下流側に流下させるようにしたことを特徴とする浄化型水路。
【請求項２】
上記敷き板５の溝７に上記浄化層１０の洗浄用配管８を配置したことを特徴とする請求項１に記載の浄化型水路。
【請求項３】
上記小河川水路Ｒの途中適宜個所に沈澱槽Ｐを形成し、その沈澱槽Ｐは、上記浄化層１０とは透孔３ａ付きの端面パネル３で仕切られており、上記溝７から送り出されるドロ等の捕捉物を、上記透孔３ａを経て上記沈澱槽Ｐに沈降させるようにしたことを特徴とする請求項１又は２に記載の浄化型水路。
【請求項４】
上記沈澱槽Ｐ内に上記浄化層１０からの捕捉物が流れ込む網袋又は籠を設置したことを特徴とする請求項３に記載の浄化型水路。
【請求項５】
上記網袋又は籠が複数の袋又は籠が重ねられたものであり、かつ、その各袋又は籠は、内側から外側に向かってその網目が順々に細かくなっていることを特徴とする請求項４に記載の浄化型水路。
【発明の詳細な説明】
【０００１】
【発明の属する技術分野】
この発明は、農業用排水路などの小河川水路の底部に浄化層を形成した浄化型水路に関するものである。
【０００２】
【従来の技術】
環境保全が叫ばれる中、農業用排水路などの小河川においてもその水質浄化が要求されつつある。その浄化方法として、実開昭５９−３５４３１号公報等には、水路の底部に、玉石や空洞又は空隙を有するコンクリートブロックなどから成る浄化体を積層して浄化層を形成し、この浄化層において、流水中のドロなどを浄化体に付着させたり、浄化体の狭い隙間に堆積させて浄化する技術が開示されている。
【０００３】
また、その浄化層内に洗浄用配管を設置し、所定時間毎にその配管から噴水して浄化体に付着の捕捉物（堆積物）を洗浄除去し、浄化層を再生する技術も開発されている。
【０００４】
【発明が解決しようとする課題】
通常、この種の水路は、流路全域が浄化層となっており、雨天等の多水量時でも有効な排水を行うために、その流通断面積を、浄化層上部の断面を考慮して設計を行うが、浄化層により粗度係数が大きくなるため、小さな水路断面では設計流量を確保できないおそれがある。一方、粗度係数を考慮した場合は設計断面（流通断面）が大きくなる。
【０００５】
また、上記従来の浄化型水路は、設置した当初は浄化機能を有するが、時間の経過とともに、堆積物による目詰まりを起こし、徐々にその機能は失われてくる。これを解決するために、上記噴水により洗浄を行うと、この洗浄で浄化体から離れた捕捉物は流動し目詰りが解消されるが、洗浄を止めたとき、捕捉物は流動しながら、浄化層中を沈降して下部に堆積することとなり、この洗浄を繰り返したとしても浄化層の下部にその堆積物の堆積が成長し目詰りを起し、結局浄化機能を有効に回復することが困難となっている。
【０００６】
この発明は、上記実情の下、浄化機能の低下を招くことなく、小さな水路断面で設計流量を確保することを第１の課題とし、浄化層の捕捉物（堆積物）の除去を円滑にすることを第２の課題とする。
【０００７】
【課題を解決するための手段】
上記第１の課題を解決するために、この発明は、まず、複数の流路を有する水路とし、その流路の少なくとも一つに浄化層を設けて、通常は、その浄化型流路に水を流して浄化し、大量の流れの場合にはその浄化型流路から水を通常の流路（浄化層の設けていない流路）にオーバーフローさせて流す（流量を確保する）ようにしたのである。
【０００８】
このようにすれば、流水が少ない通常時は、浄化型水路として機能し、部分的な浄化型のため、全域が浄化型のものに比べれば、粗度係数も小さく、設計流量の確保の面で有利である。
【０００９】
つぎに、この発明は、上記浄化層の下面にその捕捉物の流下通路を設けて、該通路に沈下した捕捉物を下流側に積極的に流下させるとともに、沈澱槽などでその捕捉物を掬い上げなどによって水路外に除去するようにしたのである。
【００１０】
特に、浄化層の下面はその捕捉物が沈降して堆積成長し、最も目詰りし易いが、その捕捉物を積極的に移動させれば、浄化層の目詰りの進行も遅くなる。また、上記洗浄により浄化層中の捕捉物も円滑に沈下移動して浄化機能の回復も確実になされる。すなちわ、第２の課題を達成し得る。さらに、粗度係数も小さくなり、十分な設計流量を得易くなる。すなわち、第１の課題を達成し得る。
【００１１】
【発明の実施の形態】
この発明の一実施形態としては、農業用排水路などの小河川水路の底部を、その幅方向を流れ方向の立壁で仕切って複数の流路を形成し、前記立壁は水路側壁より低くして、前記仕切った流路の少なくとも一つを、その底部に、玉石や空洞又は空隙を有するコンクリートブロックなどの浄化体から成る浄化層を形成した浄化型流路とするとともに、残りの流路を前記浄化層を形成しない通常の流路とした構成を採用し得る。
【００１２】
この構成において、上記浄化層の下面に流水の流れ方向に沿う溝を形成して、この溝により、捕捉物を下流側に移動させる構成とし得る。
【００１３】
玉石等を単に積層しても、その空隙によって、捕捉物の移動通路は形成されるが、その通路はハニカム状となり、捕捉物の円滑な移動は望めない。因みに、浄化層内を捕捉物が円滑に移動すれば捕捉作用は劣化する。これに対し、浄化層の下面は捕捉作用の必要もなく、その流れ方向の溝は下面ゆえにほぼ直線的となり、捕捉物の移動もし易い。
【００１４】
この溝の形成手段としては、上記浄化層の下面に敷き板を敷設し、この敷き板は、その上面が波状になってその凹部で前記溝が形成されているもの等を採用し得る。
【００１５】
また、浄化層下面にその洗浄用配管を配置して積極的に浄化層の再生を図ることができ、その配管は上記溝内に配置することができる。
【００１６】
上記溝内を流下する捕捉物は一個所に集めて排水路外に取除く必要があり、このため、排水路の途中適宜個所に沈澱槽を形成して、前記溝から送り出されるドロ等の捕捉物をその沈澱槽に沈降させて除去するようにするとよい。その沈澱槽は、上記浄化層とは透孔付きの端面パネルで仕切られているものとすれば、浄化体が沈澱槽に入り込むことがない。
【００１７】
上記沈澱槽からの捕捉物の除去手段としては、人力によるスコップの掬い上げなどを採用し得るが、沈澱槽内に上記浄化層からの捕捉物が流れ込む網袋又は籠（以下、両者を含めて網袋という）を設置し、この網袋をクレーンで吊り上げることにより、脱水作用も兼ねた除去とするとよい。このとき、網袋は複数の袋が重ねられたものとし、かつ、その各袋は、内側から外側に向かってその網目が順々に細かくなっているものとすれば、その各袋を順々に吊り上げることにより、回収捕捉物の粒度（大きさ）も選別できて便利である。また、凝集沈澱法も採用し得る。
【００１８】
【実施例】
一実施例を図１乃至図３に示し、この実施例は農業用排水路などの浄化型水路に係り、地盤ＧにＵ字溝Ｈが掘削され、その両側に堤Ｂが形成されている。そのＵ字溝Ｈにその長さ方向等間隔に杭の役目を果すＵ字状アーム１を設け、各アーム１間に間塞ブロック板（パネル）２を嵌合して排水路（アーム柵渠）Ｒが形成されている。この排水路Ｒは、その幅方向を流れ方向の立壁２０によって２分割されて、２つの流路Ｒ1 とＲ2 になっている。その流路Ｒ1 とＲ2 の幅比は任意である。
【００１９】
一方の流路Ｒ1 の途中適宜個所は深いＵ字状アーム１ａが対で設けられ、このアーム１ａ間の側面は間塞ブロック板２が一枚多く嵌合されて、その一枚分、深くなった沈澱槽Ｐとなっている。その沈澱槽Ｐの流れ方向両側面（端面）は端面ブロック板（パネル）３によって形成され、この端面ブロック板３には適宜に透孔３ａが形成されて、後述の浄化層１０からの流れが沈澱槽Ｐに流れ入るようになっている。端面ブロック板３はその下部側面及び下面の鍔３ｂをアーム１ａに係合してアーム１ａから抜け出ないようになっている。沈殿槽Ｐの底面はブロック板４で形成する。
【００２０】
沈殿槽Ｐを除くＵ字溝Ｈの流路Ｒ1 のＵ字状アーム１ａ間の底面は敷きブロック板５を敷きつめて形成され、このブロック板５の上面は幅方向（排水路Ｒの幅方向）等間隔に突条６が設けられて波状となっており、凹部（溝）７に適宜に洗浄用配管８が配置されている。なお、洗浄用配管８は浄化層１０中であっても良い。敷きブロック板５上には栗石、玉石ａなどの浄化体が充填されて浄化層１０が形成される。排水は浄化層１０を流れ通る過程で、その中に含まれるドロ、土、砂等が浄化体に捕捉されて浄化される。凹部７により確実に溝が形成されるには、例えば、凹部７はその深さ：２〜３ｃｍ、幅：４ｃｍ前後とし、栗石ａに１００ｍｍφ程度のものを使用する。
【００２１】
また、捕捉物の一部は、浄化層１０内を沈降しながら下方へ移行し、敷きブロック板５の凹部７に至れば、障害物が極力少なくなるため、スムースに下流側へ移行する。端面ブロック板３に至った流れ及び捕捉物は透孔３ａから沈澱槽Ｐに入り込み、捕捉物は沈降捕捉し、排水は透孔３ａから次段の浄化層１０内に入って流れる。
【００２２】
洗浄用配管８には適宜に圧力水を送り込んで、図３（ｂ）のごとく、浄化層１０内に噴水して、浄化層１０の洗浄を行なう。この洗浄により、浄化層１０内に捕捉された捕捉物は離脱して流動し、次いで沈下して敷きブロック板５の凹部７に至り、浄化層１０の凹部７を通って端面ブロック板３上面又は透孔３ａから沈澱槽Ｐに流れ込む。このようにして、捕捉物による目詰りが解消して再生される。
【００２３】
沈澱槽Ｐの捕捉物は人手により掬い出してもよいが、沈澱槽Ｐ内にその内部全面に沿う網袋を入れておき、適当な捕捉量になれば、その袋をクレーンで引き上げて捕捉物を除去することもできる。このとき、前記網袋を複数の、例えば３枚の袋が内部に入り込むように順々に重ねられ、かつ、その各袋を内側から外側に向かって網目が順々に細かいものとし、各袋をクレーンにより順々に吊り上げれば、捕捉物の大きさを選別して回収し得る。
【００２４】
この実施例は以上の構成であり、通常は、一方の流路Ｒ1 に水が流れて浄化される。この状態で、流量が多くなれば、立壁２０を越えて、流水が他方の流路Ｒ2 に落下して、その流路Ｒ2 を流れる。
【００２５】
実施例では、他方の流路Ｒ2 に深いアーム１ａを使用しているため、その流路Ｒ2 にも沈澱槽Ｐを形成することとなるが、アーム１ａの形状を変える、又は蓋をする等によって通常の流路Ｒ2 には沈澱槽Ｐを形成しなくてもよい。両流路Ｒ1 、Ｒ2 の沈殿槽Ｐ、Ｐは立壁２０を部分的に除去して連通状態とし得る。また、浄化流路Ｒ1 の数は任意であり、２流路の場合には、例えば図４のごとくとする。
【００２６】
なお、アーム１、１ａ、ブロック板２、３、４、５は、コンクリート、ＦＲＰなどの繊維強化樹脂などの周知の材料で作る。
【００２７】
【発明の効果】
この発明は、以上のようにして、１つの水路に浄化型と通常型を併用したので、通常の浄化機能の低下を招くことなく、小さな水路断面で設計流量を確保することができる。また、浄化層の捕捉物の除去を円滑にしたので、永年に亘り、清水が流れる水路とし得る。
【図面の簡単な説明】
【図１】一実施例の要部切断斜視図
【図２】同実施例の切断側面図
【図３】（ａ）は図２のＡ−Ａ線断面図、（ｂ）は同Ｂ−Ｂ線断面図
【図４】他の実施例の部分平面図
【符号の説明】
Ｐ  沈澱槽
Ｒ  排水路（アーム柵渠）
ａ  浄化体（栗石、玉石）
ｂ  土砂
１、１ａ  Ｕ字状アーム
２  間塞ブロック板
３  端面ブロック板
４  底面ブロック板
５  敷きブロック板
６  突条
７  凹部（溝）
８  洗浄用配管
１０  浄化層
２０  立壁
【図１】
0003683109.tif 000002
【図２】
0003683109.tif 000003
【図３】
0003683109.tif 000004
【図４】
0003683109.tif 000005